(57)【要約】【課題】エネルギー管理とセキュリティ管理を統合して制御する場合、住民に対してより最適な環境を提供しつつ、セキュリティのさらなる向上を図り、かつ効率的な制御を行う。【解決手段】実施形態の住宅監視制御装置は、エネルギー管理部と、セキュリティ管理部と、取得部と、判断部と、統合制御部と、を備える。エネルギー管理部は、住宅におけるエネルギー管理を実行する。セキュリティ管理部は、住宅におけるセキュリティ管理を実行する。取得部は、住宅内の領域における住民の分布を示す住民分布を取得する。判断部は、住民分布に基づいて、領域ごとの住民の存在を判断する。統合制御部は、住民の存在の有無に応じて、エネルギー管理とセキュリティ管理との実行配分を制御する。【選択図】図２
2014238775.tif 000002
【特許請求の範囲】
【請求項１】
住宅におけるエネルギー管理を実行するエネルギー管理部と、
住宅におけるセキュリティ管理を実行するセキュリティ管理部と、
住宅内の領域における住民の分布を示す住民分布を取得する取得部と、
前記住民分布に基づいて、領域ごとの前記住民の存在を判断する判断部と、
前記住民の存在の有無に応じて、前記エネルギー管理と前記セキュリティ管理との実行配分を制御する統合制御部と、
を備えた住宅監視制御装置。
【請求項２】
前記統合制御部は、前記住民が存在する領域においては、前記エネルギー管理としてのエネルギー供給処理を実行させる制御を前記エネルギー管理部に対して行い、前記セキュリティ管理を実行させない制御を前記セキュリティ管理部に対して行う、
請求項１に記載の住宅監視制御装置。
【請求項３】
前記取得部は、さらに、前記住民に関する住民情報を取得し、
前記判断部は、さらに、前記住民情報に基づいて、前記住民が特定の者か否かを判断し、
前記統合制御部は、さらに、前記特定の者が存在する領域においては、前記セキュリティ管理を実行させる制御を前記セキュリティ管理部に対して行う、
請求項２に記載の住宅監視制御装置。
【請求項４】
前記統合制御部は、前記住民が存在しない領域においては、前記エネルギー管理としてのエネルギー供給処理を実行させない制御を前記エネルギー管理部に対して行い、前記セキュリティ管理を実行させる制御を前記セキュリティ管理部に対して行う、
請求項１〜３のいずれか一つに記載の住宅監視制御装置。
【請求項５】
前記取得部は、さらに、前記住民からの要望を取得し、
前記統合制御部は、さらに、前記住民から快適性の要望があった場合には、前記住民が存在しない領域においても、前記エネルギー供給処理を実行させる制御を前記エネルギー管理部に対して行う、
請求項４に記載の住宅監視制御装置。
【請求項６】
前記取得部は、さらに、前記住民に関する住民情報を取得し、
前記判断部は、さらに、前記住民情報と前記住民分布とに基づいて、前記住民の移動分布を予測し、
前記統合制御部は、さらに、前記住民が存在しない領域であっても、前記住民の移動分布により前記住民の移動先であると予測される領域である場合には、前記エネルギー供給処理を実行させる制御を前記エネルギー管理部に対して行う、
請求項４に記載の住宅監視制御装置。
【請求項７】
前記統合制御部は、さらに、前記領域に応じて、前記エネルギー管理と前記セキュリティ管理との実行配分を制御する、
請求項１〜６のいずれか一つに記載の住宅監視制御装置。
【発明の詳細な説明】
【技術分野】
【０００１】
本発明の実施形態は、住宅監視制御装置に関する。
【背景技術】
【０００２】
近年、住宅には、太陽電池等を使用した発電や電気自動車を使用した蓄電などの効率的なエネルギー管理や、ネットワークによる設備機器の統合による省エネルギーで快適な環境の提供およびセキュリティの向上が求められている。このため、エネルギー管理とセキュリティ管理とを統合的に制御することが求められている。
【先行技術文献】
【特許文献】
【０００３】
【特許文献１】特開２００７−２３３７３３号公報
【特許文献２】特開２００９−１３０９８３号公報
【発明の概要】
【発明が解決しようとする課題】
【０００４】
このようなエネルギー管理とセキュリティ管理を統合して制御する場合、住民に対してより最適な環境を提供しつつ、セキュリティのさらなる向上を図り、かつ効率的な制御を行うことが望まれている。
【課題を解決するための手段】
【０００５】
実施形態の住宅監視制御装置は、エネルギー管理部と、セキュリティ管理部と、取得部と、判断部と、統合制御部と、を備える。エネルギー管理部は、住宅におけるエネルギー管理を実行する。セキュリティ管理部は、住宅におけるセキュリティ管理を実行する。取得部は、住宅内の領域における住民の分布を示す住民分布を取得する。判断部は、住民分布に基づいて、領域ごとの住民の存在を判断する。統合制御部は、住民の存在の有無に応じて、エネルギー管理とセキュリティ管理との実行配分を制御する。
【図面の簡単な説明】
【０００６】
【図１】図１は、本実施形態の住宅監視システムの構成図である。
【図２】図２は、本実施形態の住宅監視制御装置の機能的構成を示すブロック図である。
【図３】図３は、本実施形態のマップデータの一例を示す図である。
【図４】図４は、本実施形態のエネルギー管理とセキュリティ管理の実行配分の一例を示す図である。
【図５】図５は、本実施形態の住宅監視制御処理の手順を示すフローチャートである。
【図６】図６は、本実施形態のエネルギー管理処理の手順を示すフローチャートである。
【図７】図７は、本実施形態のセキュリティ管理処理の手順を示すフローチャートである。
【図８】図８は、変形例の携帯端末に表示される初期画面の一例を示す図である。
【図９】図９は、変形例の携帯端末に表示されるメニュー画面の一例を示す図である。
【図１０】図１０は、変形例の携帯端末に表示されるマップ画面の一例を示す図である。
【図１１】図１１は、変形例の携帯端末に表示される、機器情報が重畳表示されたマップ画面の一例を示す図である。
【図１２】図１２は、変形例の携帯端末に表示されるネットワーク画面の一例を示す図である。
【図１３】図１３は、変形例の携帯端末に表示されるプログラム画面の一例を示す図である。
【発明を実施するための形態】
【０００７】
以下に添付図面を参照して、実施形態の住宅監視制御装置を詳細に説明する。
【０００８】
本実施形態の住宅監視システムは、図１に示すように、複数の設備機器１０と、複数のセンサ２０と、複数の駆動装置３０と、住宅監視制御装置１００と、携帯端末２００とを備えている。
【０００９】
複数の設備機器１０、複数のセンサ２０、複数の駆動装置３０は、監視対象の住宅に設けられている。設備機器１０は、住宅に設置された発電機等であり、具体的には、太陽光発電の発電機や電気自動車の蓄電器等が該当する。この設備機器１０は、発電量、蓄電量、消費電力量、水量、湯量、ガス使用量等のエネルギー発生消費貯蔵量を記録するようになっている。
【００１０】
センサ２０は、住宅の各領域、例えば、各部屋や庭、門等に設けられたセンサであり、赤外線センサ等の人を検知する人感センサや監視カメラ等の画像センサ、ドアや窓などの開閉を検知する開閉センサ、煙の発生を検知する火災センサ、ガス漏れを検知するガスセンサ、温度センサ、湿度センサ、照度センサ等が該当するがこれらに限定されるものではない。
【００１１】
駆動装置３０は、住宅の上記各領域である各部屋等に設けられ、暖房器具、照明具等の光熱機器や空調機等を駆動するアクチュエータまたはモータ等が該当する。
【００１２】
複数の設備機器１０、複数のセンサ２０、複数の駆動装置３０は、住宅監視制御装置１００に有線または無線で接続されており、検知信号やエネルギー消費量等の各種情報を住宅監視制御装置１００に送信する。また、複数の設備機器１０、複数のセンサ２０、複数の駆動装置３０は、住宅監視制御装置１００から起動指令、エネルギー供給指令、停止指令、エネルギー供給停止指令等の各種指令を受信して、指令に従った動作を行う。
【００１３】
住宅監視制御装置１００は、インターネットなどのネットワーク３００に接続されている。住宅監視制御装置１００は、複数の設備機器１０、複数のセンサ２０、複数の駆動装置３０を用いて監視対象である住宅および住宅の各領域（部屋等）のエネルギー管理とセキュリティ管理とを統合して行う。住宅監視制御装置１００は、携帯端末２００からの指示を受信して、エネルギー管理とセキュリティ管理とを実行することも可能となっている。
【００１４】
本実施形態の住宅監視制御装置１００は、図２に示すように、表示部１０１と、操作部１０２と、音声入力部１０３と、音声出力部１１５と、入出力制御部１０４と、音声処理部１０５と、ネットワークＩ／Ｆ１０６と、構成処理部１１４と、判断部１０７と、統合制御部１０８と、エネルギー管理部１０９と、セキュリティ管理部１１０と、マップデータ１１１と、設定データ１１２と、ログデータ１１３とを主に備えている。ここで、マップデータ１１１、設定データ１１２、ログデータ１１３は、ハードディスクドライブ装置（ＨＤＤ）等の記憶媒体に格納されている。
【００１５】
表示部１０１は、ディスプレイ装置等の各種情報を表示する表示デバイスである。操作部１０２は、ユーザから各種情報の入力を受け付ける入力デバイスである。
【００１６】
入出力制御部１０４は、表示部１０１に対する表示制御と、操作部１０２に対する入力制御とを行う。本実施形態では、ユーザは、操作部１０２からエネルギー管理やセキュリティ管理に関する指示の入力を行うことができる。
【００１７】
また、入出力制御部１０４は、取得部として機能し、後述するマップデータ１１１、設定データ１１２、ログデータ１１３を、ＨＤＤ等の記憶媒体から読み出す。
【００１８】
音声入力部１０３は、マイクロフォン等のユーザの音声を集音するデバイスである。音声出力部１１５は、スピーカ等の音声を出力するデバイスである。音声処理部１０５は、音声入力部１０３によって入力した音声に対する音声解析処理や音声出力部１１５に対する音声出力処理等を行う。本実施形態では、ユーザは、音声入力部１０３からもエネルギー管理やセキュリティ管理に関する指示の入力を行うことができるようになっている。例えば、住民は、「暑い」、「暗くして」等のエネルギー管理の指示を入力することができる。
【００１９】
ネットワークＩ／Ｆ１０６は、取得部として機能し、複数の設備機器１０、複数のセンサ２０、複数の駆動装置３０を制御して、設備機器１０および駆動装置３０から各種データを受信し、センサ２０から検知信号を受信する。また、ネットワークＩ／Ｆ１０６は、携帯端末２００との通信も制御する。
【００２０】
構成処理部１１４は、稼働させる設備機器１０、センサ２０、駆動装置３０やその稼働率、センサ２０の感度等を設定する。
【００２１】
マップデータ１１１は、監視対象である住宅の間取り図上に設備機器１０、センサ２０、駆動装置３０の配置位置を示した図のデータである。マップデータの一例を図３に示す。例えば、ユーザが監視対象の住宅における設備機器１０、センサ２０、駆動装置３０の位置を確認する場合等に、ユーザが操作部１０２から要求することにより、入出力制御部１０４がマップデータ１１１を表示部１０１に表示する。あるいは、ユーザが携帯端末２００上のアプリケーションから要求することにより、ネットワークＩ／Ｆ１０６がマップデータ１１１を携帯端末２００に送信して、携帯端末２００のディスプレイに表示させる。
【００２２】
設定データ１１２は、住民や住宅に関する初期データであり、予め設定されている。設定データ１１２は、住宅環境設定データと、住民情報設定データと、住民要望設定データとから構成される。住宅環境設定データは、住宅の環境に関する設定データであり、住宅の住所や公共料金契約等が設定されている。
【００２３】
住民情報設定データは、住民に関する設定データであり、住民の年齢やスケジュール等が設定されている。住民要望設定データは、住民からの要望に関する設定データであり、省エネルギーの要望、セキュリティ管理の要望、快適性の要望等の指標が設定されている。
【００２４】
ログデータ１１３は、設備機器１０やセンサ２０から取得したデータを経時的に記録した履歴データであり、住民滞在記録、温度・湿度・照度分布記録、エネルギー発生消費記録等が登録される。
【００２５】
エネルギー管理部１０９は、住宅および住宅の各部屋に対してエネルギー管理を実行する。エネルギー管理部１０９が実行するエネルギー管理には、省エネルギー処理、ピークシフト処理、エネルギー分配処理、事前準備処理等がある。このうち、エネルギー分配処理、事前準備処理がエネルギー供給処理に該当する。
【００２６】
省エネルギー処理は、住民が不在の場所の光熱を遮断する処理である。ピークシフト処理は、供給ピーク時に住民に警告を発し、エネルギー消費を低下させる処理である。エネルギー分配処理は、エネルギー発生消費量予測を行い、優先順位を判断して売電やエネルギー貯蔵を行う処理である。事前準備処理は、住民の行動を予測して住民の移動先の部屋に事前にエネルギーを供給し温度、湿度、照明等調整する処理である。
【００２７】
セキュリティ管理部１１０は、住宅および住宅の各部屋に対してセキュリティ管理を実行する。セキュリティ管理部１１０が実行するセキュリティ管理処理には、火災対応処理、地震対応処理、侵入対応処理、危険対応処理、住民監視処理等がある。
【００２８】
火災対応処理は、火災発生を検知すると、住民に警告するとともに緊急連絡を行う処理である。地震対応処理は、地震発生を検知して、住民に警告するとともにエネルギー供給停止を行う処理である。侵入対応処理は、侵入を検知すると、住民に警告するとともに位置の特定、カメラによる録画や追尾、音声による威嚇等を行う処理である。危険対応処理は、住民不在時の不要なエネルギー消費や特定箇所でのガス濃度の上昇を検知すると危険と判断して、住民に注意を促す処理である。住民監視処理は、部屋内に子供や老人等の特定の者のみ、あるいは当該特定の者が一人で在室する場合に、センサ２０により危険行動や体温低下等を監視して、住民に注意を促すとともに他住民への連絡を行う処理である。
【００２９】
判断部１０７は、ネットワークＩ／Ｆ１０６でセンサ２０から取得した住民分布から、住宅の部屋ごとの住民の存在を判断する。また、判断部１０７は、入出力制御部１０４で取得した住民情報設定データに基づいて、存在する住民が特定の者（例えば、６０歳等の所定年齢以上の老人、１５歳等の一定年齢以下の子供）か否かを判断する。
【００３０】
具体的には、判断部１０７は、センサ２０としての監視カメラ等で撮像した画像に対して顔認識を行って、その認識結果と住民情報設定データから住民とその年齢を特定して判断することができる。さらに、判断部１０７は、入出力制御部１０４で取得した住民情報設定データと、ネットワークＩ／Ｆ１０６でセンサ２０から取得した住民分布とに基づいて、住民の行動、すなわち住民の移動分布を予測する。
【００３１】
統合制御部１０８は、判断部１０７に判断された住民の存在の有無に応じて、エネルギー管理とセキュリティ管理の実行配分を決定し、決定された実行配分でエネルギー管理とセキュリティ管理とを実行するように、エネルギー管理部１０９とセキュリティ管理部１１０とを制御する。
【００３２】
このような実行配分としては、図４に示す例があげられる。図４は、図３に示した住宅の間取り図に対応した例である。
【００３３】
例えば、「リビング」、「和室」に対応した「在室」における「老人・子供以外在室」の例に示すように、統合制御部１０８は、住民が存在する部屋においては、エネルギー供給処理を実行させるようにエネルギー管理部１０９を制御し、セキュリティ管理を実行させないようにセキュリティ管理部１１０を制御する。
【００３４】
例えば、当該部屋に対しては、エネルギー管理部１０９により、駆動装置３０にエネルギー供給指令を送出して最適な環境にする一方、セキュリティ管理部１１０によりセンサ２０に停止指令を送出してセンサ２０を稼働させない。
【００３５】
また、「リビング」、「和室」に対応した「在室」における「老人・子供のみ在室」の例に示すように、統合制御部１０８は、判断部１０７で、ある部屋が所定年齢以上の老人や一定年齢以下の子供等の特定の者（住民）が存在すると判断された場合、当該部屋においては、セキュリティ管理を実行させるようにセキュリティ管理部１１０を制御する。
【００３６】
例えば、当該部屋に対しては、セキュリティ管理部１１０は、センサ２０に起動指令を送出してセンサ２０を稼働させて、危険対応処理を実行する。
【００３７】
また、「リビング」、「和室」に対応した「不在」の例に示すように、統合制御部１０８は、住民が存在しない部屋においては、エネルギー供給処理を実行せず、省エネルギー処理を実行するようにエネルギー管理部１０９を制御し、セキュリティ管理を実行させるようにセキュリティ管理部１１０を制御する。
【００３８】
また、統合制御部１０８は、入出力制御部１０４で取得した住民要望設定データに、住民から快適性の要望が登録されている場合には、住民が存在しない部屋においても、エネルギー供給処理を実行させるようにエネルギー管理部１０９を制御する。
【００３９】
また、統合制御部１０８は、住民が存在しない領域であっても、判断部１０７によって予測された住民の移動分布により、住民の移動先であると予測される領域である場合には、エネルギー供給処理を実行させるようにエネルギー管理部１０９を制御する。
【００４０】
また、統合制御部１０８は、エネルギー管理とセキュリティ管理の実行配分を、領域（部屋）ごとに変えるように制御している。すなわち、統合制御部１０８は、図４に示すように、「リビング」、「和室」において住民が存在する場合には、エネルギー供給処理を実行させるようにエネルギー管理部１０９を制御しているが、「バスルーム」において住民が存在する場合でも、エネルギー供給処理を実行させず、省エネルギー処理を実行させるようにエネルギー管理部１０９を制御する。
【００４１】
次に、以上のように構成された本実施形態の住宅監視制御装置１００による住宅監視制御処理について図５を用いて説明する。
【００４２】
まず、入出力制御部１０４は、ＨＤＤ等から設定データ（住宅環境設定データ、住民情報設定データ、住民要望設定データ）を取得し（ステップＳ１１）、取得した設定データを判断部１０７に送出する。
【００４３】
次に、ネットワークＩ／Ｆ１０６は、設備機器１０、センサ２０、駆動装置３０から各種情報を収集し（ステップＳ１２）、収集した各種情報を判断部１０７に送出する。収集する情報としては、人感センサ等のセンサ２０から収集する部屋ごとの住民の存在を示す住民分布、温度センサ、湿度センサ、照度センサ等のセンサ２０から収集する、部屋内部や住宅外の温度と湿度と照度を示す温度湿度照度分布である。また、収集する情報として、設備装置１０から収集する、発電量、蓄電量、消費電力量、水量、湯量、ガス使用量等のエネルギー発生消費貯蔵量等がある。
【００４４】
次に、判断部１０７は、収集した各種情報をログデータとして記録する（ステップＳ１３）。すなわち、判断部１０７は、住民分布を住民滞在記録として、温度湿度照度分布を温度・湿度・照度分布記録として、エネルギー発生消費貯蔵量をエネルギー発生消費記録として時間とともにログデータとしてＨＤＤ等に保存する。
【００４５】
次に、判断部１０７は、設定データと収集した住民分布等の情報から、部屋ごとに住民の在・不在を判断する（ステップＳ１４）。そして、統合制御部１０８は、部屋ごとの住民の在・不在から、部屋ごとにエネルギー管理とセキュリティ管理の実行配分を決定する（ステップＳ１５）。具体的には、判断部１０７は、上述したとおり、図４の表の例に示すように実行配分を決定する。
【００４６】
そして、統合制御部１０８は、ステップＳ１５で決定した実行配分で、エネルギー管理とセキュリティ管理を実行させるようにエネルギー管理部１０９とセキュリティ管理部１１０とをそれぞれ制御する。これにより、エネルギー管理部１０９がエネルギー管理を実行し（ステップＳ１６）、セキュリティ管理部１１０がセキュリティ管理を実行する（ステップＳ１７）。
【００４７】
次に、ステップＳ１６のエネルギー管理処理について図６を用いて説明する。エネルギー管理処理では、省エネルギー処理、ピークシフト処理、エネルギー分配処理、事前準備処理が行われる。
【００４８】
省エネルギー処理では、判断部１０７は、ステップＳ１２で収集した住民分布から部屋に住民が不在か否かを判断する（ステップＳ３１）。そして、住民が不在である場合には（ステップＳ３１：Ｙｅｓ）、一定時間待機し（ステップＳ３２）、住民が不在の部屋の光熱機器や空調機等の駆動装置３０に停止指令を送出し、これにより光熱を遮断する（ステップＳ３３）。一方、ステップＳ３１において、部屋に住民が在室している場合には（ステップＳ３１：Ｎｏ）、ステップＳ３２，Ｓ３３の処理を行わず、光熱機器や空調機等の駆動装置３０を駆動状態としたままにする。
【００４９】
ピークシフト処理では、エネルギー管理部１０９は、住宅監視制御装置１００がピークシフトに対応しているか否かを設定データ等から判断する（ステップＳ４１）。そして、住宅監視制御装置１００がピークシフトに対応している場合には（ステップＳ４１：Ｙｅｓ）、エネルギー管理部１０９は、現時点が供給ピーク時か否かを設定データ等から判断する（ステップＳ４２）。そして、現時点が供給ピーク時である場合には（ステップＳ４２：Ｙｅｓ）、エネルギー管理部１０９は、音声出力部１１５や表示部１０１で住民に警告を出力し（ステップＳ４３）、その上で、駆動装置３０に対して停止指令等を送出してエネルギー消費量を低下させる（ステップＳ４４）。
【００５０】
一方、ステップＳ４１で、住宅監視制御装置１００がピークシフトに対応していない場合（ステップＳ４１：Ｎｏ）、およびステップＳ４２で現時点が供給ピーク時でない場合（ステップＳ４２：Ｎｏ）、エネルギー管理部１０９は、ステップＳ４３，Ｓ４４の処理を行わない。
【００５１】
エネルギー分配処理では、エネルギー管理部１０９は、ステップＳ１２で収集した住民情報設定データのスケジュール、およびログデータの住民滞在記録、エネルギー発生消費記録および温度・湿度・照度分布記録、時間的要素に基づいて、エネルギー発生消費量予測を行う（ステップＳ５１）。そして、エネルギー管理部１０９は、予測したエネルギー発生消費量から優先順位を判断する（ステップＳ５２）。エネルギー管理部１０９は、優先順位に基づいて、売電を行ったり（ステップＳ５３）、エネルギー貯蔵を行う（ステップＳ５４）。
【００５２】
事前準備処理では、判断部１０７は、ステップＳ１２で収集した住民情報設定データのスケジュールや住民要望設定データ、ログデータの住民滞在記録および時間的要素、天候の情報等に基づいて、住民の行動を予測する（ステップＳ６１）。すなわち、判断部１０７は、住民の移動先の部屋を予測する。なお、エネルギーの発生消費量を予測するように判断部１０７を構成してもよい。
【００５３】
そして、エネルギー管理部１０９は、住民の移動先の部屋の駆動装置３０に対して事前にエネルギー供給の指令を送出し、温度、湿度、照明等調整する準備処理を行う（ステップＳ６２）。
【００５４】
次に、ステップＳ１７のセキュリティ管理処理について図７を用いて説明する。セキュリティ管理処理では、火災対応処理、地震対応処理、侵入対応処理、危険対応処理、住民監視処理が行われる。
【００５５】
火災対応処理では、センサ２０で煙を検知したり、赤外線を検知すると、セキュリティ管理部１１０は、火災発生と判断する（ステップＳ８１）、そして、セキュリティ管理部１１０は、音声出力部１１５や表示部１０１により住民に対して警告を出力し（ステップＳ８２）、緊急連絡を行う（ステップＳ８３）。
【００５６】
地震対応処理では、センサ２０で複数の加速度を検知したり、振動を検知すると、セキュリティ管理部１１０は地震発生と判断する（ステップＳ９１）。セキュリティ管理部１１０は、音声出力部１１５や表示部１０１により住民に対して警告を出力し（ステップＳ９２）、駆動装置３０に対してエネルギー供給の停止指令を行う（ステップＳ９３）。
【００５７】
侵入対応処理では、住民が不在の部屋で、開閉センサ等のセンサ２０でドアや窓の開閉が検知された場合や、赤外線センサ等のセンサ２０で人の存在が検知された場合、セキュリティ管理部１１０は、住民が不在の部屋への侵入があったと判断する（ステップＳ１０１）。そして、セキュリティ管理部１１０は、音声出力部１１５や表示部１０１により住民に対して警告を出力する（ステップＳ１０２）。さらに、セキュリティ管理部１１０は、振動や音による位置の特定、カメラによる録画や追尾を行い（ステップＳ１０３）、音声出力部１１５から、音声による威嚇等を行う（ステップＳ１０４）。
【００５８】
危険対応処理では、住民が不在の部屋で、駆動装置３０から不要なエネルギー消費やガスセンサ等のセンサ２０で特定箇所でのガス濃度の上昇を検知すると、セキュリティ管理部１１０は、危険な状況であると判断する（ステップＳ１１１）。そして、セキュリティ管理部１１０は、音声出力部１１５や表示部１０１により住民に対して注意を促す（ステップＳ１１２）。
【００５９】
住民監視処理では、ステップＳ１２で収集した住民分布と、住宅情報設定データの年齢から、部屋内に子供や老人等の特定の者のみ、あるいは当該特定の者が一人で在室する場合に、セキュリティ管理部１１０は、センサ２０の検知信号から、危険行動や体温低下等の住民の行動を監視する（ステップＳ７１）。そして、セキュリティ管理部１１０が、住民の行動監視の結果として危険な状況であると判断すると（ステップＳ７２）、音声出力部１１５や表示部１０１により住民に注意を促し（ステップＳ７３）、他住民への連絡を行う（ステップＳ７４）。
【００６０】
このように本実施形態では、監視対象の住宅内の部屋等における住民分布に基づいて、部屋ごとの住民の存在を判断し、住民の存在の有無に応じて、エネルギー管理とセキュリティ管理との実行配分を制御するので、エネルギー管理とセキュリティ管理を統合して制御する場合、住民に対してより最適な環境を提供しつつ、セキュリティのさらなる向上を図り、かつ効率的な制御を行うことができる。
【００６１】
（変形例）
次に、本実施形態では、携帯端末２００から住宅監視制御装置１００によるエネルギー管理やセキュリティ管理に関する操作を行うことができる。
【００６２】
携帯端末２００の操作は、ユーザがアプリケーションをダウンロードしてインストールした後、実行することができ、フィンガージェスチャー機能を使用することができる。携帯端末２００にアプリケーションがインストールされ、ユーザが図８に示す初期画面２０１で住宅監視制御アイコン２０２をタップしてアプリケーション起動すると、図９に示すメニュー画面２０３が表示される。
【００６３】
ユーザは、図９に示すメニュー画面２０３でマップボタン２０４をタップすると、住宅監視制御装置１００に保存されているマップデータが携帯端末２００に送信される。携帯端末２００では、このマップデータを受信して、図１０に示すマップ画面２０５としてディスプレイに表示する。
【００６４】
図１０に示すマップ画面２０５には、住宅の室内の間取り図を示す俯瞰画面２０６とネットワーク構築されている設備機器１０、センサ２０、駆動装置３０を示す機器配置マーク２０７が表示される。
【００６５】
ユーザが、マップ画面２０５上で機器配置マーク２０７をタップすると、図１１に示すように、マップ画面２０５上に機器情報２０８が重畳表示される。機器を操作可能な場合には、詳細ボタン２０９が表示され、例えば、カメラの詳細では、ユーザはカメラ画像を表示しながらズーム等の操作ができるようになっている。
【００６６】
図９に戻り、ユーザがメニュー画面２０３のネットワークボタン２１０をタップすると携帯端末２００のディスプレイには図１２に示すネットワーク画面２１１が表示される。図１２に示すネットワーク画面２１１には、ネットワーク構築可能な設備機器１０、センサ２０、駆動装置３０の一覧がリスト表示２１２として現れる。そして、このリスト表示２１２には、各機器の接続状態２１３と接続レベル２１４が表示される。ユーザは、リスト表示２１２において、所望の機器の接続状態２１３と接続レベル２１４を選択してネットワークを構築する。
【００６７】
図９に戻り、ユーザがメニュー画面２０３のプログラムボタン２１５をタップすると、携帯端末２００のディスプレイには図１３に示すプログラム画面２１６が表示される。図１３に示すプログラム画面２１６では、ユーザは、センサ２０や駆動装置３０や時間等の用意されたタイル２１７をアプリウインドウ２１８上で組み合わせて簡単なアプリを作成することが可能となっている。例えば、ユーザは、プログラム画面２１６上で、センサ２０でペットを検知した時に住民に通知するプログラムを作成することができる。
【００６８】
本実施形態の住宅監視制御装置１００は、ＣＰＵなどの制御装置と、ＲＯＭ（Ｒｅａｄ  Ｏｎｌｙ  Ｍｅｍｏｒｙ）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００６９】
本実施形態の住宅監視制御装置１００の各機能は、ハードウェアで実現しても、ソフトウェアで実現してもいずれでもよい。
【００７０】
本実施形態の住宅監視制御装置１００の各機能をソフトウェアで実現する場合には、当該機能は、住宅監視制御プログラムにより実現される。
【００７１】
この場合、本実施形態の住宅監視制御装置１００で実行される住宅監視制御プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７２】
また、本実施形態の住宅監視制御装置１００で実行される住宅監視制御プログラムを、インターネット等のネットワークに接続されたコンピュータ上に格納し、ネットワーク経由でダウンロードさせることにより提供するように構成してもよい。また、本実施形態の住宅監視制御装置１００で実行される住宅監視制御プログラムをインターネット等のネットワーク経由で提供または配布するように構成してもよい。
【００７３】
また、本実施形態の住宅監視制御装置１００で実行される住宅監視制御プログラムを、ＲＯＭ等に予め組み込んで提供するように構成してもよい。
【００７４】
本実施形態の住宅監視制御装置１００で実行される住宅監視制御プログラムは、上述した各部（判断部１０７、統合制御部１０８、エネルギー管理部１０９、セキュリティ管理部１１０、構成処理部１１４、音声処理部１０５、入出力制御部１０４）を含むモジュール構成となっており、実際のハードウェアとしてはＣＰＵが上記記憶媒体から住宅監視制御プログラムを読み出して実行することにより上記各部がＲＡＭ上にロードされ、判断部１０７、統合制御部１０８、エネルギー管理部１０９、セキュリティ管理部１１０、構成処理部１１４、音声処理部１０５、入出力制御部１０４がＲＡＭ上に生成されるようになっている。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１００  住宅監視制御装置
１０１  表示部
１０２  操作部
１０３  音声入力部
１０４  入出力制御部
１０５  音声処理部
１０６  ネットワークＩ／Ｆ
１０７  判断部
１０８  統合制御部
１０９  エネルギー管理部
１１０  セキュリティ管理部
１１１  マップデータ
１１２  設定データ
１１３  ログデータ
１１４  構成処理部
１１５  音声処理部
【図１】
2014238775.tif 000003
【図２】
2014238775.tif 000004
【図３】
2014238775.tif 000005
【図４】
2014238775.tif 000006
【図５】
2014238775.tif 000007
【図６】
2014238775.tif 000008
【図７】
2014238775.tif 000009
【図８】
2014238775.tif 000010
【図９】
2014238775.tif 000011
【図１０】
2014238775.tif 000012
【図１１】
2014238775.tif 000013
【図１２】
2014238775.tif 000014
【図１３】
2014238775.tif 000015